(57)【要約】【課題】頭皮および頭髪の清拭用具として、手軽に使える携帯性に優れたフラップ付き連結綿棒を提供する。【解決手段】軸部２の両端に綿球部３・４を設けた複数本の綿棒１の軸部２を適宜の間隔を空けて配置し、該軸部２のすべてを挟んで一対の連結帯５・５を設け、該連結帯５・５の長手方向の一辺に設けた折り曲げ線６・６を介して一対のフラップ７・７を連設し、上記連結帯５・５の互いに重なり合う部位、および該連結帯５・５と前記軸部２の互いに重なり合う部位を固着し、前記軸部２の一部分およびその先端に位置する綿球部３を、連結帯５・５の折り曲げ線６・６に対向する一辺より櫛歯状を成して露出させ、該軸部２の残りの部分とその先端に位置する綿球部４を、フラップ７・７の外縁より内側に配置したことを特徴とする。【選択図】　図２
2004113746.tif 000002
【特許請求の範囲】
【請求項１】
（イ）軸部２の両端に綿球部３・４を設けた複数本の綿棒１を、軸部２が平行あるいは略平行となるよう適宜の間隔を空けて配置する。
（ロ）適度な柔軟性を有する一対の連結帯５・５を、上記のように配置された綿棒１のすべての軸部２を挟んで設ける。
（ハ）上記連結帯５・５の長手方向の一辺に設けた折り曲げ線６・６を介して、一対のフラップ７・７を連設する。
（ニ）上記連結帯５・５の互いに重なり合う部位、および該連結帯５・５と前記軸部２の互いに重なり合う部位を、接着剤、粘着剤、粘着テープ、熱融着手段などを用いて固着する。
以上のように構成され、前記軸部２の一部分およびその先端に位置する綿球部３は、前記連結帯５・５の折り曲げ線６・６と対向する一辺より櫛歯状を成して露出した状態にあり、該軸部２の残りの部分とその先端に位置する綿球部４は、前記フラップ７・７の外縁より内側に配置されていることを特徴とするフラップ付き連結綿棒。
【発明の詳細な説明】
【０００１】
【発明の属する技術分野】
この発明は、頭皮と頭髪に付着した汚れや汗の清拭、あるいは、頭皮と頭髪への薬剤・洗浄液などの塗布を、効率的かつ手軽に行うことを可能にする、フラップ付き連結綿棒に関するものである。
【０００２】
【従来の技術】
毛、および、毛に覆われた物体に付着した汚れを除去したり、それらへの薬剤や洗浄液の塗布を目的とする道具（ブラシや櫛）の中で、紙や繊維を材料とするものについては、従来より次のような種々のものが提案されている。
（イ）ブラシの毛に、微細な繊維を巻着または編組して被覆したブラシ。（特許文献１参照）
（ロ）ブラシの毛、あるいは、櫛の歯に、超極細繊維を用いた不織布製の袋状吸水材を被せたせ洗髪用吸水具。（特許文献２参照）
（ハ）表面に多数の突起を備えた不織布製またはパルプ製のブラシ本体の該表面に、粘着層を形成した清掃用ブラシ。（特許文献３参照）
（ニ）紙やスポンジなど吸水性のある素材を櫛状に成型し、その吸水部を比較的剛性の高い素材でできた補強部で補強した吸水櫛。（特許文献４参照）
（ホ）ブラシ又は櫛等の頭髪の中に挿入する棒状の部分の一本一本に、先端から綿棒のように綿を覆い根元まで巻き付けた、もしくは給水性のスポンジを被覆した洗浄部と洗浄部を固定した本体と柄から成る頭皮頭髪洗浄及び潤滑ブラシ。（特許文献５参照）
（ヘ）櫛において、櫛歯のかわりに綿棒を着脱自在に取り付けたことを特徴とする綿棒付き櫛。（特許文献６参照）
（ト）綿棒の先端部をあぶら取り紙か軟質合成樹脂材質で被包した整髪棒、または、あぶら取り紙か軟質合成樹脂材質を綿棒形状あるいは先端を丸めた縦長棒状に成型した整髪棒を、挿脱具などに固着した使い捨てブラシ、クシ。もしくは、上記整髪棒のかわりに綿棒を挿脱具などに固着した使い捨てブラシおよびクシ。（特許文献７参照）
【０００３】
【特許文献１】
実開平６−６６３６７号公報
【特許文献２】
実開平４−３６９０６号公報
【特許文献３】
特開２００１−１９０４８７号公報
【特許文献４】
特開平１１−１５１１１４号公報
【特許文献５】
実開平６−８２９３０号公報
【特許文献６】
実用新案登録第３０３７３３４号公報
【特許文献７】
特開２００１−２４５７２７号公報
【０００４】
一方、綿棒に関しては、軸の両端または一端に綿球を設けた綿棒が大量生産され、安価に提供されている。こうした綿棒は一本一本がバラバラの状態であり、その形状は、微細な部位を対象とした掃除や薬剤・洗浄液の塗布に適しているため、主に耳や鼻や臍など小穴の中の掃除具として、あるいは、瞼の際にアイシャドーを塗るなど化粧用ブラシの代用として、あるいは、テープレコーダーのヘッドなど機械の微細な部品の掃除具として用いられている。
【０００５】
【発明が解決しようとする課題】
洗髪したくてもできない状況はいろいろある。寝たきり老人、病気で入浴できない時、入院中、震災時、職場で徹夜仕事をした時などが挙げられるが、こうしたケースの他にも、満員電車に乗った後や、熱い食べ物を食べた後、運動の後、夏場に屋外を歩いた時など、頭皮から出た多量の汗に不快感を感じたり、汗の臭いが気になったりしているにもかかわらず、時間的・場所的理由から洗髪できないことは日常の中で多々ある。
体質によっては、毎日洗髪しても、頭皮から分泌される皮脂の量が多過ぎて、それが毛穴をつまらせ、脱毛の原因になることがある。また、適量の汗と皮脂は頭皮表面で混ざり合い、弱酸性の皮脂膜を形成して頭皮の乾燥と雑菌の繁殖を防いでいるが、大量の汗は皮脂膜を流し去り、細菌の増殖に絶好の条件（温度・湿度・ペーハー）を頭皮に与え、フケ・かゆみ・炎症など、頭皮のトラブルの原因となりうる。
したがって、頭皮に大量の皮脂や汗および汚れがある時は、放置せず、すぐに拭いて清潔を保つことが大切であり、外出先でも汗をかいた時などに、手軽に頭皮と頭髪の清掃・洗浄ができる携帯性に優れた使い捨ての道具が望まれる。
【０００６】
しかし上記の従来技術による道具（ブラシや櫛）には、次に挙げる欠点のすべて、あるいは、そのいずれかがある。
（イ）　ブラシ状のものは、かさばり、携帯性が良くない。
（ロ）　コスト高のため、使い捨てにすると経済的な負担が大きい。あるいは、コストが高く使い捨てにできないため、使用後は、次の使用に備えて、道具を洗浄する必要がある。そのため、外出時の時間のない時や、水のない場所で使うことができない。
（ハ）　汚れなどを拭き取るための部分が、一つの面だけにある。よって、洗浄液などを含浸させて頭皮に塗布した後に、未使用の面で空拭きするといった二度に分けた使用を、単体の道具で行うことができない。
（ニ）　汗・皮脂は、頭皮や毛髪の付け根付近に多く集中してあるが、上記の従来技術による道具の中でも、櫛の歯やブラシの毛の表面全体を紙や繊維が覆っているタイプのものは、櫛の歯やブラシの毛の先端部で吸い取った頭皮の汗などが、毛細管現象により櫛の歯やブラシの毛の表面全体に広がり、毛髪の表面や毛先にまで付着させる恐れがある。同様に、頭皮のみに液体の薬剤を塗布したい場合も、薬剤が櫛の歯やブラシの毛の表面全体に広がり、頭髪に付着してしまう。
（ホ）　外出時は、人それぞれにヘアスタイルをセットしており、中には、毛の一本一本がバラバラになるのを防ぐために整髪剤で固めている人もいる。そうしたヘアスタイルの場合、上記従来技術のブラシや櫛で髪を梳くと、整髪剤によって互いに貼りつき毛束になっていた毛髪が、一本一本がバラバラになり、ヘアスタイルの美観を著しく損ねてしまう。
【０００７】
これらの欠点があるために、上記従来技術によるブラシや櫛は、頭皮および頭髪の清拭用具として普及していない。そのため、外出時に汗をかいた場合など、日常生活における頭皮・頭髪の清拭はほとんど行われていないのが現状である。また、介護が必要な場合や入院時などは、洗髪できない状態が長く続くので頭皮や頭髪の清拭が行われるが、その場合も、清拭剤を霧吹きや手で塗布してタオルで拭き取るという方法がとられている。このやり方であると、清拭剤は、頭髪に多量に塗布されてしまい、汚れが集中してある頭皮には届きづらい。また、頭髪に覆われた頭皮は、タオルでは拭きづらい。頭髪が邪魔をして、頭皮にタオルがじかに当たることが少ないため、汚れの拭き残しも多く残る。そのため頭皮・頭髪用の清拭剤の利用者から、「さっぱりしない」という不満の声が多かった。
【０００８】
一方、上記のような欠点を持たない道具として、綿棒の利用が挙げられる。綿棒は先端のみに綿が巻かれ、軸は裸のため、頭皮から吸い取った汗や皮脂を、頭髪に付着させる量が少なくて済む。また、綿棒を頭髪の上から差し込み、その先端の綿球で頭皮を拭いた後に、髪を梳くことなく引き抜けば、整髪剤で固めた毛束を崩すこともない。さらに綿棒は、頭髪の根元をかきわけながら頭皮を拭くことができるため、綿球がじかに頭皮に当たり、拭き残しが少ないという利点がある。
しかし、前述のように、綿棒はその形状から微細な部位の清掃・洗浄に適しており、頭皮のように広い面積を持つ対象物の全体を清掃・洗浄するためには、複数本の綿棒を必要とする。ところが、一度に片手で容易に持てる綿棒の数量は一本であるため、綿棒を一本ずつ使って頭皮全体を清掃・洗浄するには、何回も新しい綿棒に持ち替える必要があり、非効率的である。また、一度に複数本の綿棒を、ある程度の間隔をあけて片手で持つのは、かなり困難な作業である。
このように綿棒は、一本一本がバラバラの状態で提供されてきたため、頭皮のような広い部位を対象として使用されることはなく、その用途は耳の穴など微細な部位の清掃・洗浄に限られていた。そのため、安価に大量生産されているにもかかわらず、綿棒の消費量は限られていた。
【０００９】
複数本の綿棒の同時使用を可能とする道具としては、前述の従来技術の中でも、櫛において櫛歯のかわりに綿棒を着脱自在に取り付けたことを特徴とする綿棒付き櫛が提案されている（特許文献６参照）。しかし、この形態であると、軸の片側に綿球を設けた綿棒しか使用できない。同時に、綿棒の着脱に手間がかかるため、外出先でスピーディーに使用したい場合や、手先の不器用な人の使用には適さない。
【００１０】
本発明は、以上のような状況に鑑みてなされたものであり、時・場所・髪形を選ぶことなく頭皮と毛髪の清拭を可能にする、複数本の綿棒を連結した簡易で安価な清拭用具を提供するものである。
【００１１】
【課題を解決するための手段】
これを図１・図２・図３について説明すれば次の通りになる。
（イ）軸部２の両端に綿球部３・４を設けた複数本の綿棒１を、軸部２が平行あるいは略平行となるよう適宜の間隔を空けて配置する。
（ロ）適度な柔軟性を有する一対の連結帯５・５を、上記のように配置された綿棒１のすべての軸部２を挟んで設ける。
（ハ）上記連結帯５・５の長手方向の一辺に設けた折り曲げ線６・６を介して、一対のフラップ７・７を連設する。
（ニ）上記連結帯５・５の互いに重なり合う部位、および該連結帯５・５と前記軸部２の互いに重なり合う部位を、接着剤、粘着剤、粘着テープ、熱融着手段などを用いて固着する。
本発明は、以上の構成より成り、上記軸部２の一部分およびその先端に位置する綿球部３は、前記連結帯５・５の折り曲げ線６・６と対向する一辺より櫛歯状を成して露出させ、該軸部２の残りの部分とその先端に位置する綿球部４は、前記フラップ７・７の外縁より内側に位置するよう配置したことを特徴とするフラップ付き連結綿棒である。
【００１２】
【発明の実施の形態】
以下、本発明の第１実施形態について、図１・図２・図３に基づき説明する。（イ）軸部２の両端に綿球部３・４を設けた複数本の綿棒１を、軸部２が平行あるいは略平行となるよう適宜の間隔を空けて配置する。
（ロ）適度な柔軟性を有する一対の連結帯５・５を、上記のように配置された綿棒１のすべての軸部２を挟んで設ける。
（ハ）上記連結帯５・５の長手方向の一辺に設けた折り曲げ線６・６を介して、一対のフラップ７・７を連設する。
（ニ）上記連結帯５・５の互いに重なり合う部位、および該連結帯５・５と前記軸部２の互いに重なり合う部位を、接着剤、粘着剤、粘着テープ、熱融着手段などを用いて固着する。
本発明は、以上の構成より成るフラップ付き連結綿棒であって、上記連結帯５・５の適度な柔軟性とは、連結帯５および該連結帯に連設されたフラップ７を２枚〜４枚重ねて持った時に、手の力で容易に湾曲させられる程度の柔軟性を意味し、素材としては、紙や不織布や合成樹脂などの薄板、あるいはそれら素材を積層した薄板が適している。
【００１３】
この第一の実施形態は、前記連結帯５および該連結帯５に連接されるフラップ７に用いられる素材が熱可塑性、又は圧力による可塑性を有する場合に適する。熱や圧力を加えても、上記連結帯５・５の互いに重なり合う部位が密着しない素材の場合は、上記の固着手段として、以下に示す第２・第３の実施形態のように、適宜の厚みを有する弾性素材製粘着テープ８を用いるとよい。
【００１４】
第２の実施形態については、図４・図５・図６に示したように、上記連結帯５・５と上記軸部２の間に一対の弾性素材製粘着テープ８・８を設け、該連結帯５・５と該弾性素材製粘着テープ８・８の互いに重なり合う部位、および該弾性素材製粘着テープ８・８同士の互いに重なり合う部位、および該弾性素材製粘着テープ８・８と該軸部２の互いに重なり合う部位を固着する。
【００１５】
この時、弾性素材製粘着テープの８・８の素材としては、ポリエチレンフォームなどのスポンジ類やフェルトなどの両面に粘着層を有するものが挙げられる。その厚さは、軸部２の直径の２分の１程度。すなわち、一般的な綿棒を使用する場合の弾性体帯８・８の厚さは、１ｍｍ〜１．５ｍｍ程度が適している。この弾性素材製粘着テープ８・８は、連結帯５・５の間に軸部２を挟んだことによって生ずる透き間を埋めると同時に、軸部２と連結帯５に挟まれた部位が圧されて縮み、軸部２の周囲に密着して、連結帯５・５と軸部２の結束力を強める役割を果たしている。
【００１６】
本発明の第３の実施形態では、図７・図８・図９に示したように、前記連結帯５・５のどちらか一方と、前記軸部２の間に弾性素材製粘着テープ８を設け、該連結帯５・５と該弾性素材製粘着テープ８の互いに重なり合う部位、および該弾性素材製粘着テープ８と該軸部２の互いに重なり合う部位、および該連結帯５と該軸部２の互いに重なり合う部位を固着する。この場合は、弾性素材製粘着テープ８を１枚しか用いないので、第２の実施形態における弾性素材製粘着テープ８・８の２倍程度の厚みが必要となる。
【００１７】
上記、第１〜第３のいずれの実施形態であっても、前記軸部２の一部分およびその先端に位置する綿球部３は、前記連結帯５・５の長手方向の一辺に設けられた折り曲げ線６・６と対向する一辺より櫛歯状を成して露出させる。同時に、該軸部２の残りの部分とその先端に位置する綿球部４は、前記フラップ７・７の外縁より内側に位置するよう配置する。
【００１８】
本発明は、以上の構成と特徴を持つフラップ付き連結綿棒であって、図１０および図１１が、その使用状況を示す説明図である。
基本的な使い方は、以下の通りである。
まず、フラップ７・７を片手で持ち、綿球部３を頭髪の上から差し込み、綿球部３を頭皮に密着させた状態で動かし、頭皮をこする。あるいは、綿球部３に洗浄液や清拭剤を含浸させてから、頭皮をこする。
【００１９】
この時、人間が自然と行う持ち方としては、次の二種類が考えられる。ひとつは、図１０のように綿球部３を上に向け、フラップ７・７を親指と、残る４本指との間に挟む持ち方。もうひとつは、図１１のように綿球部３を下に向け、しっかり握る持ち方である。こうした持ち方により、頭に対して該軸部２を寝かせる角度にして、綿球部３の側部を頭皮に当てると、柔軟性のある連結帯５・５とフラップ７・７が自然と頭の丸みに沿って湾曲するため、複数ある綿球部３のすべてが頭皮に密着する。
【００２０】
図１０の持ち方では、手の向きが、髪をかき上げる仕草と同じになり、綿球部３の先端は、毛の流れと逆方向に向いている。この状態で頭皮をこする場合、毛の流れに逆らって、こすり上げようとする力が強く働く。この時、綿球部３は、頭髪の付け根を下から上へとかき分けながら進むので、頭皮と頭髪の付け根には触れるが、頭髪全体に触れることはない。よって図１０の持ち方では、汗や皮脂が多く集中してある頭皮と頭髪の付け根を、集中的に掃除することができる。また、綿球部３に含浸させた薬剤などを、頭髪に付着させることなく、頭皮のみに塗布したい場合も、このやり方がよい。
【００２１】
一方、図１１の持ち方の場合は、綿球部３の先端が、毛の流れと同じ方向に向く。この持ち方で、手を毛の流れの方向に大きく動かし、綿球部３を頭皮に密着させながら頭髪を梳いてゆくと、綿球部３は頭皮をこすると同時に、周囲の頭髪を毛先に向かって撫でてゆきながら進む。すると、頭皮と頭髪の掃除が同時にできる。
【００２２】
こうして綿球部３で頭皮をくまなくこすり、綿球部３が汚れたと感じたら、図１２のように、フラップ７・７を折り曲げ線６・６より折り返しながらめくりあげる。すると、今までフラップ７・７の間に挟まれて隠れていた綿球部４、およびフラップ７・７の裏面が露出する。この過程が終了した段階の図が図１３であり、綿球部４・４とフラップ７・７の裏面が完全に露出し、既に使用済みである綿球部３はフラップ７・７の間に挟まれている。この状態で、再びフラップ７・７を片手で持ち、上記と同様のやり方で、綿球部４を頭皮に密着させながら頭皮をこする。
【００２３】
整髪剤をつけてキープしたヘアスタイルを崩さずに、頭皮の汗や皮脂を拭い取りたい場合は、次のようにするとよい。整髪剤は、一本一本の毛髪を互いにくっつけ、毛束をつくる働きをしているが、こうした毛束を梳くと一本一本の毛がバラバラになって、ヘアスタイルが崩れてしまう。そのため、図１０の持ち方であれ、図１１の持ち方であれ、使用する側の綿球部（綿球部３あるいは綿球部４）を頭皮に密着させたまま、比較的小刻みな往復運動で頭皮をこすり、頭髪を梳かずして、使用済みの綿球部を頭髪から引き出す。軸部２には繊維が被覆されていないので、使用済みの綿球部を頭髪から引き出す時に生じる軸部２と頭髪の摩擦は、比較的少ない。よって、整髪剤によって違いにくっついた毛の一本一本をバラバラに引き離す度合いも比較的少ない。
【００２４】
また、より効率よく頭皮と頭髪の汚れを同時に除去したい場合は、ティッシュペーパー、ガーゼ、不織布などをゆるくひねって、図１４のように軸部２に取り付けて使ってもよい。この場合は、図１１の持ち方で、綿球部３または綿球部４を頭皮に密着させながら、手を毛の流れの方向に大きく動かし、頭髪を梳く。すると、軸部２に取り付けたティッシュペーパーなどが、頭髪の表面に付着した汚れも同時に拭い去ってくれる。
【００２５】
ムースなどの整髪剤を頭髪に塗布したい場合は、使用する側の綿球部（綿球部３あるいは綿球部４）に整髪剤を含浸させた後、その綿球部を頭皮につけないようにして、髪全体を梳く。整髪剤は手でつけると、最初に手で触れた部位に多くの整髪剤がついてしまうが、本発明のフラップ付き綿棒を用いれば、均一につけることができる。
【００２６】
以上のように様々な使い方ができる。それを言葉で示すと複雑になるが、本発明のフラップ付き連結綿棒を手に持つと、図１０・図１１のように、人差し指・中指・薬指・小指の指先の延長線上に使用する側の綿球部が並ぶので、使用者は、自分の指先で頭皮や頭髪をケアするのと同じ感覚で使うことができる。よって、ヘアスタイルを乱さず頭皮のみを掃除したい場合は、その心理が働き、それに向いた手の動きに自然となるし、頭髪のみに整髪剤を塗布した場合も同様に、その心理が働き、自然と、それに向いた手の動きになるのである。
【００２７】
【実施例】
本発明の実施例として、以下のフラップ付き連結綿棒を作成した。この実施例は、既に記述した第３実施例、図４・図５・図６にあたる。
（イ）軸部２の両端に綿球部３・４を設けた６本の綿棒１（軸部２の直径約２ｍｍ、全長約８０ｍｍ）を、軸部２を並行にして約１２ｍｍ間隔で配置する。
（ロ）紙の薄板からなる連結帯５・５（幅約１５ｍｍ、長さ約８０ｍｍ）を、上記のように配置された綿棒１のすべての軸部２を挟んで上下に設ける。
（ハ）上記連結帯５・５の長手方向の一辺に設けた折り曲げ線６・６を介して、長さを約５５ｍｍに設定した一対のフラップ７・７を連設する。なお、フラップ７・７の幅は、連結帯５・５の長さと同じ約８０ｍｍに設定した。
（ニ）一対の弾性素材製粘着テープ８・８（ポリエチレンフォーム製、厚さ約１．２ｍｍ、幅約１０ｍｍ、長さ約８０ｍｍ）を、上記連結帯５・５と上記軸部２の間に設け、該連結帯５・５と該弾性素材製粘着テープ８・８の互いに重なり合う部位、および該弾性体帯８・８同士の互いに重なり合う部位、および該弾性体帯８・８と該軸部２の互いに重なり合う部位を固着する。
【００２８】
この時、前記軸部２の一部分およびその先端に位置する綿球部３は、前記連結帯５・５の折り曲げ線６・６と対向する一辺より櫛歯状を成して露出させるが、その長さ（綿球部３を含めた軸部２の露出部分の長さ）は約３０ｍｍに設定した。上記のようなサイズ設定にすれば、該軸部２の残りの部分とその先端に位置する綿球部４は、必然的に前記フラップ７・７の外縁より内側に配置される。
なお、連結帯５・５の長さと綿棒１の本数は適宜の設定ができるが、様々な長さと本数で実験したところ、連結帯５・５の長さが８０ｍｍ〜１００ｍｍ程度、綿棒１を７．５ｍｍ〜１２ｍｍ程度の間隔で配置したものが使いやすかった。
【００２９】
また、上記のフラップ７・７は、綿球部３を使用している時に未使用の綿球部４が手に触れ、該綿球部４に手の汚れが付着するのを防ぐ役割を果たしている。それと同時に、綿球部４を使用している時に、使用済みの綿球部３が手に触れ、該綿球部３の汚れが手に付着するのを防ぐ役割も担う。そのためには、綿球部４を露出させた図１３の状態の時も、フラップ７・７は、その外縁より内側に綿球部３を収めるだけの長さが必要である。
フラップ７・７に適した長さについては、使用する綿棒１の長さ、連結帯５・５の幅、および、該綿棒１の連結帯５・５から露出させる部分の長さによって異なるが、上記のように長さ８０ｍｍ程度の一般的な綿棒１を用い、連結帯５・５の幅を約１５ｍｍに設定し、該綿棒１の連結帯５・５より露出させる部分の長さを約３０ｍｍに設定した場合、フラップ７・７の長さは少なくとも約３５ｍｍ以上、ゆとりや持ちやすさを考慮すれば、５０ｍｍ〜６０ｍｍ程度が適切である。
【００３０】
また、上記フラップ７・７および連結帯５・５の形状は、単純な四角形でも目的を果たすことができるが、角がまったく無い形状のほうが手に持った時の感触がやさしく、誤って角で顔などをつつく心配もないため望ましい。それには、Ｖ字形切り込み部９を、折り曲げ線６・６の両端を欠くように、合計４カ所の設ける。すると、図１２および図１３のように、折り曲げ線６・６を折り曲げて綿球部４を露出させた時も、折り曲げ線６・６の両端に角ができない形状になる。
【００３１】
以上に述べた実施例によるフラップ付き連結綿棒を、以下の状況で使用を試みた。まず、洗髪せずに、シャワーキャップを被って入浴する。すると、頭皮に汗をかいて、頭皮と頭髪との間に熱と湿気がこもり、蒸れて不快感を感じるが、少し時間が経つと、汗で濡れた頭皮は気化熱を奪われ、冷んやりじっとりとした不快感に変わる。その時、前記実施例によるフラップ付き連結綿棒を用いて頭皮をこすると、頭皮はさらりとした状態になり、マッサージ効果で血行が促進され、頭皮に心地よい仄かな温かみが感じられた。
【００３２】
また、水で洗い流す洗髪ができない日に、市販のドライシャンプー（頭皮および頭髪の清拭剤）を塗布してタオルで拭き取る従来方法の清拭を行い、その後、前期実施例よるフラップ付き連結綿棒を用いて頭皮を空拭きすると、タオルで拭き残した頭皮の汚れが綿球部３・４に付着して、該綿球部３・４が汚れた。
【００３３】
また、月に１〜２日程度、徹夜仕事で洗髪できない日がある会社員が、前記実施例によるフラップ付き連結綿棒の使用を試みた。この会社員は、頭皮に汗をかきやすく、頭髪の量が多いために頭皮が蒸れやすい。そのため、洗髪できない日があることで、頭皮全体が荒れてフケを生じ、痒みを伴っていた。そこで、徹夜する夜または徹夜明けの朝に、前記実施例によるフラップ付き連結綿棒を用い、前記綿球部３に市販の一般的なヘアトニックを含浸させて頭皮全体に塗布した後、綿球部４で空拭きする作業を習慣づけたところ、数カ月で頭皮の状態は改善し、フケを生じる部位が僅かな部分に縮小された。
【００３４】
なお、綿球部３および綿球部４の形状や綿の量は、目的に応じて適宜に設定できる。たとえば、より多量の洗浄液を含ませる目的で、綿を多めに巻いた綿球部を用いたり、頭皮に付着している多量のフケをかき取る目的で、綿球部３または綿球部４の側面に螺旋状の溝をほどこしてもよい。
また、本発明のフラップ付き連結綿棒を提供する時は、目的に応じて、綿球部３に洗浄液などを含浸させた後に、全体を乾燥防止機能のある非通気性フィルムなどで密閉包装してもよい。
【００３５】
【発明の効果】
（イ）　部材として、大量生産されている安価な綿棒が利用できるので、安価な頭皮・頭髪清拭用具が提供できる。よって、使い捨てにできるため、水のないところでも外出先でも手軽に使用できる。また、今まで耳の穴など微細な部位にしか使われていなかった綿棒の用途が広がり、その需要拡大につながる。
（ロ）　一対のフラップ７・７が、使っていない側の綿球部を挟んで保護するため、手が使っていない側の綿球部に触れることなく、複数本の綿棒１を同時に容易に使うことができる。
（ハ）　フラップ７・７および連結帯５・５に柔軟性があるため、使っている側の全ての綿球部の側面が頭の丸みにフィットする。
（ニ）　頭皮をこすった後は、マッサージ効果が得られ、血行促進される。
（ホ）　櫛の歯やブラシの毛に繊維などを被覆する従来技術と違って、本発明によるフラップ付き連結綿棒は、軸部２に繊維が被覆されていない。そのため、綿球部を頭皮に密着させながら動かすことにより、汗や皮脂が多く集中してある頭皮と頭髪の付け根が集中的に掃除でき、拭い取った汗・皮脂は、使っている側の綿球部にとどまり、軸部２に触れている毛髪の表面や毛先に付着させない。
（ヘ）　軸部２に繊維が被覆されていないため、軸部２と頭髪との摩擦が少ない。よって、セットした髪形を崩すことなく、頭皮を清拭することができる。
（ト）　汚れなどを拭き取る場所が、綿球部３と綿球部４の２ヵ所に分かれている。そのため、綿球部３で頭皮の汗や皮脂をふき取った後、綿球部４で頭皮を空拭きするなど、単体で２度に分けた使用が可能である。
【図面の簡単な説明】
【図１】本発明の一実施形態を示す斜視図である。
【図２】図１の一部破断斜視図である。
【図３】図１のＡ−Ａ拡大断面図である。
【図４】本発明の一実施形態を示す斜視図である。
【図５】図４の一部破断斜視図である。
【図６】図４のＢ−Ｂ拡大断面図である。
【図７】本発明の一実施形態を示す斜視図である。
【図８】図７の一部破断斜視図である。
【図９】図７のＣ−Ｃ拡大断面図である。
【図１０】本発明の使用状態を示す説明図である。
【図１１】本発明の使用状態を示す説明図である。
【図１２】図１のフラップ７・７を、折り曲げ線６・６より折り返す過程における斜視図である。
【図１３】図１２の、折り返す過程が完了した時点の斜視図である。
【図１４】本発明の使用状況の一例を示す説明図である。
【符号の説明】
１……綿棒　　　　　　　　　　　　２……軸部
３……綿球部　　　　　　　　　　　４……綿球部
５……連結帯　　　　　　　　　　　６……折り曲げ線
７……フラップ　　　　　　　　　　８……弾性素材製粘着テープ
９……Ｖ字形切り込み部　　　　　　Ｈ……頭髪
Ｔ……ティッシュペーパー
【図１】
2004113746.tif 000003
【図２】
2004113746.tif 000004
【図３】
2004113746.tif 000005
【図４】
2004113746.tif 000006
【図５】
2004113746.tif 000007
【図６】
2004113746.tif 000008
【図７】
2004113746.tif 000009
【図８】
2004113746.tif 000010
【図９】
2004113746.tif 000011
【図１０】
2004113746.tif 000012
【図１１】
2004113746.tif 000013
【図１２】
2004113746.tif 000014
【図１３】
2004113746.tif 000015
【図１４】
2004113746.tif 000016